(57)【要約】【課題】人体通信によるデータ通信において、想定外の第三者への情報漏えいを防止した、携帯型電子装置を提供する。【解決手段】第二の通信手段１１０を用いた人体通信において、接触検出手段１１２で使用者同士が握手して、一人の相手とのみ伝送路が形成されたことを検出し、双方が通信開始の入力を所定の時間以上継続したことを通信開始条件検出手段１１８で検出した後に、識別情報１３１を送信する。相手からの受信識別情報が、受信識別情報テーブル１３５内にない場合は、暗号鍵生成手段１２１で生成した暗号鍵で、送信情報１３２を暗号化して送信し、受信識別情報１３４に含まれるメールアドレスに対して暗号鍵を通知する。更に、メールで受信した受信暗号鍵１３８で、受信情報１３３を復号することで、意図しない第三者の接触による通信信号の漏洩を防止可能な携帯型電子装置の実現が可能となる。【選択図】図１
2010063046.tif 000002
【特許請求の範囲】
【請求項１】
通信サービスを利用する携帯型電子装置であって、
前記通信サービスに対応する第一の通信手段と、
人体を伝送路として用いる人体通信に対応する第二の通信手段と、
前記通信サービスでユーザを識別する情報を含む識別情報、人体通信で送信する送信情報、人体通信で受信した受信情報を保存する記憶手段と、
伝送路である人体と前記携帯型電子装置を接続することで前記第二の通信手段のインターフェースとなる人体通信電極と、
前記第二の通信手段を通して通知信号を送信する通知信号送信手段と、
前記第二の通信手段で受信した通信相手の携帯型電子装置からの通知信号を検出する通知信号検出手段と、
使用者が前記通信相手の携帯型電子装置を携帯した通信相手と接触して、前記通知信号検出手段で前記通信相手の携帯型電子装置からの通知信号を受信したことで、人体通信により通信可能であることを検出する接触検出手段と、
前記接触検出手段による人体の接触の検出が所定の時間継続することで通信開始の条件が成立したことを検出する通信開始条件検出手段と、
前記第二の通信手段より通知信号を送信し、前記通信開始条件検出手段で通信開始の条件が成立したことを検出した後に、前記第二の通信手段により前記通信相手の携帯型電子装置とデータ通信を行う通信制御手段と
を備えたことを特徴とする携帯型電子装置。
【請求項２】
使用者が通信開始の決定を入力するための通信決定入力手段と、
通信開始通知信号を第二の通信手段を通して送信する通信開始通知信号送信手段と、
通信相手の携帯型電子装置からの通信開始通知信号を検出する通信開始通知信号検出手段と、
前記通信開始通知信号検出手段による通信相手からの通信開始通知信号の検出と前記通信決定入力手段での通信開始決定の入力が同時に成立した状態が所定の時間継続することで通信開始の条件が成立したことを検出する通信開始条件検出手段と、
前記通信決定入力手段で通信開始の決定を検出している期間、前記通信開始通知信号送信手段により、通信開始通知信号を前記第二の通信手段を通して送信し、前記通信開始条件検出手段で通信開始の条件が成立したことを検出した後に前記第二の通信手段により前記通信相手の携帯型電子装置とデータ通信を行う通信制御手段と
を備えたことを特徴とする請求項１記載の携帯型電子装置。
【請求項３】
前記人体通信電極と一体となった通信決定入力手段を備えたことを特徴とする請求項２記載の携帯型電子装置。
【請求項４】
前記第二の通信手段で検出した通信相手の携帯型電子装置からの通知信号の種類から複数の携帯型電子装置と通信可能な状態にあることを検出する接触検出手段と、
前記接触検出手段で複数の携帯型電子装置が検出された場合にはデータ通信を行わない通信制御手段と
を備えたことを特徴とする請求項１記載の携帯型電子装置。
【請求項５】
送信情報を暗号化する暗号鍵を生成する暗号鍵生成手段と、
前記送信情報を前記暗号鍵生成手段で生成した暗号鍵を用いて暗号化する暗号化手段と、
暗号化された受信情報を復号する復号手段と、
前記第二の通信手段を通して、前記識別情報と、前記暗号鍵生成手段で生成した暗号鍵を用いて前記暗号化手段で暗号化した送信情報を送信し、受信識別情報に含まれる前記通信サービスでユーザを識別する情報を用いて前記第一の通信手段を用いて前記通信サービス経由で前記暗号鍵を通知するとともに、前記第二の通信手段で受信した暗号化された受信情報を、前記第一の通信手段経由で受信した受信暗号鍵を用いて前記復号手段により復号する通信制御手段と
を備えることを特徴とする、請求項１記載の携帯型電子装置。
【請求項６】
取得した受信識別情報を保存する受信識別情報テーブルと、前記各受信識別情報に対応する暗号鍵を保存する暗号鍵テーブルと、前記各受信識別情報に対応する受信暗号鍵を保存する受信暗号鍵テーブルを記憶した記憶手段と、
前記受信識別情報テーブル内の履歴と比較して前記第二の通信手段で受信した受信識別情報が存在することを検出する受信識別情報比較手段と、
前記受信識別情報比較手段での比較結果に基づいて、前記受信識別情報が前記受信識別情報テーブル内に存在した場合は、前記暗号鍵テーブル内の対応する暗号鍵で送信情報を暗号化し、第一の通信手段による暗号鍵を通知しないで、前記受信暗号鍵テーブル内の受信暗号鍵を用いて受信した受信情報を復号する通信制御手段と
を備えることを特徴とする請求項５記載の携帯型電子装置。
【発明の詳細な説明】
【技術分野】
【０００１】
本発明は、主として人体通信を用いてデータ通信を行う携帯型電子装置に関する。
【背景技術】
【０００２】
近年、音声通話やメールのみならず、人体通信や近距離通信を用いて個人データの交換を行う携帯型電子装置が提案されている。
【０００３】
特許文献１に示す電子装置は、通信相手と握手を行った際に、人体通信を通じて電子装置間で個人情報を交換するというものであり、より詳細な個人情報を握手の時間の長さに合わせて送る携帯型電子装置である。
【特許文献１】特開２０００−１９４６６６号公報
【発明の開示】
【発明が解決しようとする課題】
【０００４】
しかしながら、特許文献１に記載された構成では、想定外の第三者の人体接触により、人体通信が傍受されて、電子装置間で交換された詳細情報が漏洩するという課題があった。
【０００５】
本発明は、このような従来の課題に鑑みてなされたものであり、詳細情報を暗号化して人体通信で交換し、メール機能を使用して暗号鍵を送ることで、第三者への詳細情報の漏洩を防止した、安全かつ容易に情報の交換ができる携帯型電子装置を提供するものである。
【課題を解決するための手段】
【０００６】
本発明の携帯型電子装置は、通信サービスを利用する携帯型電子装置であって、前記通信サービスに対応する第一の通信手段と、人体を伝送路として用いる人体通信に対応する第二の通信手段と、前記通信サービスでユーザを識別する情報を含む識別情報、人体通信で送信する送信情報、人体通信で受信した受信情報を保存する記憶手段と、伝送路である人体と前記携帯型電子装置を接続することで前記第二の通信手段のインターフェースとなる人体通信電極と、前記第二の通信手段を通して通知信号を送信する通知信号送信手段と、前記第二の通信手段で受信した通信相手の携帯型電子装置からの通知信号を検出する通知信号検出手段と、使用者が前記通信相手の携帯型電子装置を携帯した通信相手と接触して、前記通知信号検出手段で前記通信相手の携帯型電子装置からの通知信号を受信したことで、人体通信により通信可能であることを検出する接触検出手段と、前記接触検出手段による人体の接触の検出が所定の時間継続することで通信開始の条件が成立したことを検出する通信開始条件検出手段と、前記第二の通信手段より通知信号を送信し、前記通信開始条件検出手段で通信開始の条件が成立したことを検出した後に、前記第二の通信手段により前記通信相手の携帯型電子装置とデータ通信を行う通信制御手段と、を具備する構成をとる。
【０００７】
本構成によって、意図しない第三者の接触による通信信号の漏洩を防止するとともに、仮に傍受された場合も内容が漏洩することを予防可能な携帯型電子装置の実現が可能となる。
【発明の効果】
【０００８】
本発明の携帯型電子装置によれば、人体通信時の第三者による接触を検出するとともの、暗号化してデータ通信を行い、暗号鍵をメール等の通信サービスで通知することで、意図しない第三者への詳細情報の漏洩を防止した、安全かつ容易に情報の交換ができる携帯型電子装置を実現することができる。
【発明を実施するための最良の形態】
【０００９】
以下、本発明を一実施の形態について、図面を参照しながら説明する。
【００１０】
図１は、本発明の実施の形態１における携帯型電子装置のシステム構成図、図２はデータ通信のフローチャート図、図３はデータ通信時の利用イメージ図である。
【００１１】
図１において、本発明の実施の形態１の携帯型電子装置１００は、通信制御手段１０１と、第一の通信手段１０２と、第一の通信手段のアンテナ１０３と、入力部１０４と、操作キー１０５と、表示部１０６と、ディスプレイ１０７と、人体を伝送路として使用する人体通信により通信を行う第二の通信手段１１０と、人体と第二の通信手段の人体通信でのインターフェースとなる人体通信電極１１１と、使用者同士が接触していて人体通信が可能なことを検出する接触検出手段１１２と、接触検出手段１１２で使用者同士の接触を検出するための通知信号を送信する通知信号送信手段１１３と、通信相手からの通知信号を検出する通知信号検出手段１１４と、通信開始を通信相手に通知する通信開始通知信号を送信する通信開始信号送信手段１１５と、通信相手からの通信開始通知信号を検出する通信開始通知信号検出手段１１６と、使用者が通信開始の決定を入力するための例えばボタン形状の通信決定入力手段１１７と、第二の通信手段１１０でのデータ通信の開始条件が成立したことを検出する通信開始条件検出手段１１８と、暗号化された受信情報を復号するための復号手段１１９と、送信情報を暗号化するための暗号化手段１２０と、暗号化手段１２０で使用する暗号鍵を生成する暗号鍵生成手段１２１で構成される。また、記憶手段１３０には、携帯型電子装置１００のメールアドレス等を含む識別情報１３１、人体通信で送信する送信情報１３２、第二の通信手段１１０を通した人体通信により受信した受信情報１３３を記憶している。また、記憶手段１３０には、第二の人体通信１１０を通した人体通信により受信した各々の受信識別情報１３４の履歴を記録した受信識別情報テーブル１３５と、受信識別情報１３４に対応する通信相手へ送信する際に用いた暗号鍵１３６の履歴を記録した暗号鍵テーブル１３７と、受信識別情報１３４に対応する通信相手から受信した復号用の受信暗号鍵１３８の履歴を記録した受信暗号鍵テーブルが記憶されている。受信識別情報比較手段１４０は、受信した通信相手の識別情報が受信識別情報テーブル１３５に存在することを検出する。
【００１２】
以上の構成において、図３に示すように、使用者３０１、３０２が各々携帯型電子装置３０３、および３０４を手に持って、握手等することで、お互いが接触して、人体通信の伝送路が形成された状態を想定し、図２のフローチャート図に示す、通性制御手段１０１での制御の手順を用いて、以下に動作を説明する。
【００１３】
携帯型電子装置１００を、使用者が手に持つ等して、使用者の体と接触または結合することで、人体通信電極１１１をインターフェースとして、第二の通信手段１１０は、使用者の体を人体通信の伝送路として使用できる状況となる。なお、人体通信電極は、ＤＣ的に人体に接触するタイプでも、容量的に結合するタイプでもよい。
【００１４】
通信制御手段１０１は、通知信号送信手段１１３により、第二の通信手段１１０から、通知信号を送信する。図３に示すように、携帯型電子装置を携帯した使用者（３０１，３０２）同士が握手等して接触することで、携帯型電子装置（３０３，３０４）の間に伝送路が形成される。この状態で、相手の携帯型電子装置からの通知信号を第二の通信手段１１０経由で受信したことを通知信号検出手段１１４で検出することで、接触検出手段１１２は、人体通信が可能な状況にあることを検出する。複数の携帯型電子装置からの通知信号が検出された場合は、以下のデータ通信を行わない（Ｓ１００）。
【００１５】
次に、使用者が通信決定入力手段１１７より通信開始の入力を行うことで、通信開始通知信号送信手段より、第二の通信手段１１０経由で、通信開始通知信号が送信される。通信相手も同様に通信開始の入力を行うことで相手からの通信開始通知信号が通信開始通知信号検出手段１１６で検出される。両者が通信開始の入力を所定の時間（例えば１秒）以上継続していることを、通信開始条件検出手段１１８で検出した場合、人体通信によるデータ通信を開始する（Ｓ１０１）。
【００１６】
先ず、記憶手段１３０内のメールアドレス等の識別情報１３１を、交互に通知し（Ｓ１０２）、受信識別情報比較手段で、通信相手から受信した受信識別情報と、記憶手段１３０内の受信識別情報テーブル１３５内の情報と比較する（Ｓ１０３）。
【００１７】
受信識別情報テーブル１３５内に通信相手の受信識別情報１３４が含まれている場合は、暗号鍵テーブル１３７内の対応する暗号鍵１３６を用いて、送信情報１３２を暗号化手段１２０により暗号化して送信し（Ｓ１０４）、受信暗号テーブル１３９内の対応する受信暗号鍵１３８を用いて、受信した暗号化された受信情報を復号手段１１９を用いて復号する（Ｓ１０５）。
【００１８】
一方、受信識別情報テーブル１３５内に通信相手の受信識別情報１３４が含まれていない場合は、暗号鍵生成手段１２１で生成した暗号鍵１３６を用いて、送信情報１３２を暗号化手段１２０により暗号化して送信する。また、受信識別情報テーブル１３５、暗号化テーブルに履歴として保存する（Ｓ１０６）。次いで、取得した受信識別情報１３４内のメールアドレスを用いて、通信サービス経由で第一の通信手段１０２により、通信相手に暗号鍵１３６を通知する（Ｓ１０７）。次いで、通信サービスで取得した受信暗号鍵１３８を用いて、受信情報１３３を復号手段１１９で復号し、受信暗号鍵テーブル１３９に履歴を保存する。
【００１９】
以上のように、本発明の携帯型電子装置によれば、人体通信時の第三者による接触を検出するとともに、暗号化してデータ通信を行い、暗号鍵をメール等の通信サービスで通知することで、意図しない第三者への詳細情報の漏洩を防止した安全かつ容易に情報の交換ができる携帯型電子装置を実現することができる。
【００２０】
なお、通信決定入力手段での通信開始入力を通信開始条件に含めることで、通信開始を明確に使用者が入力することが可能となるが、通信開始入力なしで握手したことのみを接触検出手段で検出し、所定の時間握手が継続することで、通信開始条件を検出してもよい。
【００２１】
更に、通信の途中で、第三者からの通知信号を検出した場合には、通信を停止してもよい。これにより、より第三者への情報漏洩を避けることができる。
また、通信開始決定の入力操作をすることで同時に人体通信の伝送路が形成される、人体通信電極を兼ねた通信決定入力手段を用いてもよい。
【産業上の利用可能性】
【００２２】
本発明の携帯型電子装置は、人体通信時の第三者による接触を検出するとともに、暗号化してデータ通信を行い、暗号鍵をメール等の通信サービスで通知することで、意図しない第三者への詳細情報の漏洩を防止して、安全かつ容易な情報の交換が可能となるので、主として人体通信を用いてデータ通信を行う携帯型電子装置として有用である。
【図面の簡単な説明】
【００２３】
【図１】本発明の一実施の形態に係る携帯型電子装置のブロック図
【図２】本発明の一実施の形態に係る携帯型電子装置でのデータ通信のフロー図
【図３】本発明の一実施の形態に係るデータ通信を実施したときのイメージ図
【符号の説明】
【００２４】
１００    携帯型電子装置
１０１    通信制御手段
１０２    第一の通信手段
１１０    第二の通信手段
１１１    人体通信電極
１１２    接触検出手段
１１３    通知信号送信手段
１１４    通知信号検出手段
１１５    通信開始通知信号送信手段
１１６    通信開始通知信号検出手段
１１７    通信決定入力手段
１１８    通信開始条件検出手段
１１９    復号手段
１２０    暗号化手段
１２１    暗号鍵生成手段
１３０    記憶手段
１４０    受信識別情報比較手段
３０１    人物１
３０２    人物２
３０３    人物１が持っている携帯型電子装置
３０４    人物２が持っている携帯型電子装置
【図１】
2010063046.tif 000003
【図２】
2010063046.tif 000004
【図３】
2010063046.tif 000005